(57)【要約】【課題】複雑な構成を要さず、安価に、光アクセスサービスを実現できるようにする。【解決手段】光加入者線終端装置１００と光加入者線ネットワーク装置３００との間に設置された光増幅器４００について、光加入者線終端装置１００から光加入者線ネットワーク装置３００への下り信号光を増幅する下り信号光増幅器４０１と、光加入者線ネットワーク装置３００から光加入者線終端装置１００への上り信号光を増幅する上り信号光増幅器４０２とを備え、下り信号光増幅器４０１における利得制御信号Ｃ１を、その下り信号光増幅器４０１の増幅前後の下り信号光Ｓ１の伝送利得Ａ１から求め、その利得制御信号Ｃ１に対して、下り信号光Ｓ１と上り信号光Ｓ２の波長差に伴う伝送路損失の差異を補正して利得制御信号Ｃ２を得、この利得制御信号Ｃ２と上り信号光増幅器４０２の増幅前後の上り信号光Ｓ２の伝送利得Ａ２とから、上り信号光増幅器４０２における利得を制御する利得制御信号Ｃ３を求める。【選択図】  図２
2008113281.tif 000002
【特許請求の範囲】
【請求項１】
光加入者線終端装置と光加入者線ネットワーク装置との間に設置され、前記光加入者線終端装置から前記光加入者線ネットワーク装置への下り信号光を増幅する下り信号光増幅器と、前記光加入者線ネットワーク装置から前記光加入者線終端装置への上り信号光を増幅する上り信号光増幅器とを備える光増幅器において、
前記上り信号光増幅器における利得が、前記下り信号光増幅器における利得に基づき制御されるようにしたことを特徴とする光増幅器。
【請求項２】
前記下り信号光増幅器によって増幅される前記下り信号光の最大光強度が、前記下り信号光を発信する光加入者線終端装置の最大送信光強度を超えないよう、前記上り信号光増幅器における利得が制御されるようにしたことを特徴とする請求項１記載の光増幅器。
【請求項３】
前記上り信号光増幅器における利得制御が、前記下り信号光増幅器における利得に対して、前記下り信号光と前記上り信号光の波長差に伴う伝送路損失の差異を補正する制御であることを特徴とする請求項１又は２記載の光増幅器。
【請求項４】
前記上り信号光増幅器における利得制御が、前記上り信号光増幅器の励起光強度の制御により行われるようにしたことを特徴とする請求項１、２又は３記載の光増幅器。
【請求項５】
前記上り信号光増幅器はゲインクランプ型であって、前記上り信号光増幅器における利得制御が、ゲインクランプ光の利得の制御により行われるようにしたことを特徴とする請求項１、２、又は３記載の光増幅器。
【請求項６】
前記ゲインクランプ光の利得の制御が、前記ゲインクランプ光の光強度の制御により行われることを特徴とする請求項５記載の光増幅器。
【請求項７】
前記ゲインクランプ光として、前記上り信号光増幅器において発生するＡＳＥ光を用いることを特徴とする請求項５又は６記載の光増幅器。
【請求項８】
前記上り信号光増幅器における利得制御が、前記上り信号光増幅器の励起光強度の制御も含むようにしたことを特徴とする請求項５、６又は７記載の光増幅器。
【発明の詳細な説明】
【技術分野】
【０００１】
本発明は、光加入者線終端装置と光加入者線ネットワーク装置との間に設置される光増幅器に係り、特に上り信号光増幅器の利得制御について特徴を有する光増幅器に関するものである。
【背景技術】
【０００２】
近年、高度情報化に伴い大量の情報を安価に伝達したいという要望から、高速で大容量の情報が伝達可能な光アクセスシステムであるＴＤＭ−ＰＯＮ（Time Division Multiplexing Passive Optical Network）技術を用いたＢ−ＰＯＮ（Broadband Passive Optical Network）やＧＥ−ＰＯＮ（Gigabit Ethernet Passive Optical Network）等の伝送装置を用いた光アクセスサービスが都市部を中心に提供されている。
【０００３】
これらのサービスを都市部以外の伝送装置が設置された局舎から離れた地域に安価に提供するためには、光増幅器が必要とされる。この光増幅器を用い、安価に広範囲な光アクセスサービスを提供する際の課題の１つとして、ネットワークごとの特性に依存せずかつ人手を介すことなく、サービス提供範囲に適した利得を自動的に制御することが挙げられる。
【０００４】
従来、光増幅器において利得を自動的に制御するには、光増幅器の両隣の伝送装置において発信される光強度と光増幅器に入射される双方向の信号光の光強度を比較することで、光増幅器に入射された信号光を補償する光強度と隣接する伝送装置または光増幅器への伝送に必要な光強度を求め、光増幅器での利得を決定することが行われる。
【０００５】
これに対し特許文献１では、伝送装置内に利得制御信号発生器と可変減衰器を具備し、そのレベル変動を光増幅器内で判定することで、ネットワーク構成の変化に自動的に対応して利得の制御を行っている。
【特許文献１】特開平６−６９８９０号公報
【発明の開示】
【発明が解決しようとする課題】
【０００６】
しかしながら、現在、光アクセスシステムで使われているＴＤＭ−ＰＯＮ方式に、特許文献１の方法を用いたとしても、各加入者宅に設置される光加入者線ネットワーク装置からの光波は、各局舎に設置される光加入者線終端装置からの指示がなければ、信号を発信することがない、伝送制御が非対称な光ネットワークであるため、従来の方法では利得を決定することができない。
【０００７】
また、伝送装置内に利得制御信号を発生させる利得制御信号発生器や可変減衰器を具備させたとしても、従来装置の改造が必要とされコストアップが避けられない。また、既に装置を設置している地域では、加入者宅に設置してある伝送装置を取り替える必要があり、その回収コストは莫大である。これらは低コストに光アクセスサービスを提供する目的に反する。
【０００８】
本発明は、このような課題に鑑みてなされたものであり、その目的とするところは、複雑な構成を要さず、安価に、光アクセスサービスを実現できるようにした光増幅器を提供することにある。
【課題を解決するための手段】
【０００９】
上記目的を達成するために、請求項１にかかる発明は、光加入者線終端装置と光加入者線ネットワーク装置との間に設置され、前記光加入者線終端装置から前記光加入者線ネットワーク装置への下り信号光を増幅する下り信号光増幅器と、前記光加入者線ネットワーク装置から前記光加入者線終端装置への上り信号光を増幅する上り信号光増幅器とを備える光増幅器において、前記上り信号光増幅器における利得が、前記下り信号光増幅器における利得に基づき制御されるようにしたことを特徴とする。
請求項２にかかる発明は、請求項１にかかる発明において、前記下り信号光増幅器によって増幅される前記下り信号光の最大光強度が、前記下り信号光を発信する光加入者線終端装置の最大送信光強度を超えないよう、前記上り信号光増幅器における利得が制御されるようにしたことを特徴とする。
請求項３にかかる発明は、請求項１又は２にかかる発明において、前記上り信号光増幅器における利得制御が、前記下り信号光増幅器における利得に対して、前記下り信号光と前記上り信号光の波長差に伴う伝送路損失の差異を補正する制御であることを特徴とする。
請求項４にかかる発明は、請求項１、２又は３にかかる発明において、前記上り信号光増幅器における利得制御が、前記上り信号光増幅器の励起光強度の制御により行われるようにしたことを特徴とする。
請求項５にかかる発明は、請求項１、２又は３にかかる発明において、前記上り信号光増幅器がゲインクランプ型であって、前記上り信号光増幅器における利得制御が、ゲインクランプ光の利得の制御により行われるようにしたことを特徴とする。
請求項６にかかる発明は、請求項５にかかる発明において、前記ゲインクランプ光の利得の制御が、前記ゲインクランプ光の光強度の制御により行われることを特徴とする。
請求項７にかかる発明は、請求項５又は６にかかる発明において、前記ゲインクランプ光として、前記上り信号光増幅器において発生するＡＳＥ光を用いることを特徴とする。
請求項８にかかる発明は、請求項５、６又は７にかかる発明において、前記上り信号光増幅器における利得制御が、前記上り信号光増幅器の励起光強度の制御も含むようにしたことを特徴とする。
【発明の効果】
【００１０】
本発明によれば、上り信号光増幅器における利得が下り信号光増幅器における利得に基づき制御されるようにしたので、光増幅器の利得設定をネットワークごとの特性に依存せず、人手を介すことなく、複雑な構成を要さず、安価に、サービス提供範囲に適した利得に自動的に行うことができることから、光アクセスサービスを広範囲な地域に安価に提供することが可能となる。また、上り信号光増幅器をゲインクランプ型とし、ゲインクランプ光の利得を制御することにより、上り信号光がバースト光であっても、利得観測用のモニタに安価な光パワーメータを使用することができ、また光サージの抑圧が可能となる。
【発明を実施するための最良の形態】
【００１１】
＜実施形態１＞
図１に、本発明に係る光増幅器を用いた光アクセスシステムの構成例を示す。ここでは、１心双方向のポイントゥーマルチポイント光アクセスシステムを採り上げるが、本発明はこれに限定されるものではなく、多心双方向や多地点間の光ネットワークにおいて適用可能である。
【００１２】
この光アクセスシステムは、光加入者線終端装置１００、スプリッタ２００、複数の光加入者線ネットワーク装置３００によって構成されており、局舎から離れた地域に光アクセスサービスを提供するために、光加入者線終端装置１００と光加入者線ネットワーク装置３００間に光増幅器４００が設置されている。
【００１３】
現在の光アクセスネットワークにおいて、光加入者線終端装置１００から光加入者線ネットワーク装置３００への下り信号光Ｓ１は１．４９μｍ帯、光加入者線ネットワーク装置３００から光加入者線終端装置１００への上り信号光Ｓ２は１．３μｍ帯で、互いに異なる波長帯であることから、光増幅器４００は、それぞれの波長帯に応じた下り信号光増幅器４０１と上り信号光増幅器４０２、および下り信号光Ｓ１と上り信号光Ｓ２を合分波する光合分波器４０３，４０４によって構成される。
【００１４】
ここで合分波器４０３，４０４としては、上下信号光Ｓ１，Ｓ２を波長合分波するＷＤＭフィルタ、あるいは上下信号光Ｓ１，Ｓ２の方向性の違いを利用したサーキュレータが用いられる。
【００１５】
下り信号光増幅器４０１および上り信号光増幅器４０２は、使用される波長帯に依存するため、光ファイバ増幅器を用いた場合、下り信号光Ｓ１にはＴＤＦＡ（Tbulium Doped Fiber Amplifier）や１．４９帯対応ＳＯＡ（Semiconductor Optical Amplifier）、上り信号光にはＰＤＦＡ（Praseodymium-Doped Fiber Amplifieｒ）や１．３帯対応ＳＯＡが用いられるが、本発明は光増幅デバイスの種類に限定されるものではなく、光アクセスシステムに用いられる波長帯が変わった場合これらの光部品に限られない。
【００１６】
図１においては、光増幅器４００は１台であるが、複数台によって光アクセスシステムを構成してもよい。また光加入者線ネットワーク装置は複数台であるが、１台でもよい。
【００１７】
図２に、本発明の実施形態１に係る光増幅器４００の構成を示す。下り信号光Ｓ１は合分波器４０３により下り信号光増幅器４０１側に分波される。分波された下り信号光Ｓ１はモニタ４０５を経由して下り信号光増幅器４０１において光増幅され、モニタ４０６を経由した後に合分波器４０４にて合波し、光加入者線ネットワーク装置３００側へ伝送される。
【００１８】
下り信号光増幅器４０１の利得は、利得制御回路４０７にて生成される利得制御信号Ｃ１を用い制御される。伝送中の下り信号光Ｓ１の伝送利得Ａ１は、モニタ４０５，４０６にて測定された増幅前後の光波から生成した信号を利得計算回路４０８において計算することで生成される。
【００１９】
利得制御回路４０７では、光増幅器に要求される仕様に従いＡＬＣ（Auto Level Control）動作やＡＧＣ（Auto Gain Control）動作を行うための利得制御信号Ｃ１を生成する。各動作において必要とされるレベル値やゲイン値は、利得制御回路４０７に記録されている。
【００２０】
利得制御信号Ｃ１は、利得制御回路４０７内の比較回路にて、伝送利得Ａ１と前記記録されているレベル値やゲイン値とが比較されることで生成され、下り信号光増幅器４０１に送られ、下り信号光増幅器４０７の励起光強度を制御する。下り信号光増幅器４０１の利得は利得媒質そのものの特性と励起光強度によって決定される。
【００２１】
このとき、利得制御信号Ｃ１は、下り信号光Ｓ１を送信する光加入者線終端装置１００の最大送信光強度を超えないよう、下り信号光増幅器４０１の利得を制御する。このことにより、下り信号光強度が光加入者線ネットワーク装置３００の最大光耐力を超えることによって生じる故障が発生しない。
【００２２】
ここで、ＡＬＣ動作とは増幅後の下り信号光Ｓ１の光強度を自動的に常に一定値にする動作である。またＡＧＣ動作とは増幅前後の下り信号光Ｓ１の利得を常に一定値にする動作である。
【００２３】
利得制御信号Ｃ１は、上り信号利得自動制御回路４０９に転送される。上り信号利得自動制御回路４０９では、利得制御信号Ｃ１に対して、上下信号光Ｓ１，Ｓ２の波長差に伴う伝送路損失などの伝送条件の違いを補正して、上り信号利得自動制御信号Ｃ２を生成し、利得制御回路４１０に転送する。
【００２４】
上り信号光Ｓ２は、合分波器４０４により上り信号光増幅器４０２側に分波される。分波された上り信号光Ｓ２はモニタ４１１を経由して上り信号光増幅器４０２において光増幅され、モニタ４１２を経由した後、合分波器４０３にて合波し、光加入者線終端装置１００側へ伝送される。
【００２５】
上り信号光増幅器４０２の利得は、利得制御回路４１０にて生成される利得制御信号Ｃ３を用い制御される。伝送中の上り信号光Ｓ２の伝送利得Ａ２は、モニタ４１１，４１２にて測定された増幅前後の光波から生成した信号を利得計算回路４１３において計算することで生成される。上り信号利得制御信号Ｃ２は、本光アクセスシステムにおいて信号光を伝送するのに必要な利得を示していることから、利得制御回路４１０において、伝送利得Ａ２と上り信号利得制御信号Ｃ２を用いて、要求する利得を満たす利得制御信号Ｃ３を生成する。利得制御信号Ｃ３は上り信号光増幅器４０２の励起光強度を制御する。
【００２６】
上り信号光増幅器４０２における利得は、信号光の強度と励起光強度によって決定される。信号光強度が弱いとき利得は大きくなり、強いとき利得は小さくなる。すなわち光アクセスシステムの要求する最大利得によって、利得制御回路４１０によって生成される利得制御信号Ｃ３は変化する。
【００２７】
以上のように実施形態１では、下り信号光増幅器４０１用の利得制御信号Ｃ１に対し、上り信号利得自動制御回路４０９にて、上下信号光Ｓ１，Ｓ２の波長差に伴う伝送路損失などの伝送条件の違いを補正して、上り信号利得自動制御信号Ｃ２が生成され、利得制御回路４１０にて、さらに上り光信号Ｓ２の伝送利得Ａ２を加味して利得制御信号Ｃ３が生成され、この利得制御信号Ｃ３により、上り信号光増幅器４０２の利得が制御される。よって、利得制御信号Ｃ３の設定が、ネットワーク毎の特性に依存せずに、人手を介することなく、複雑な構成を要さず、安価に、サービス提供範囲に適して自動的に設定される利点がある。
【００２８】
＜実施形態２＞
図３に、本発明の実施形態２に係る光増幅器の構成を示す。図２で説明した実施形態１では、上り信号光Ｓ２の伝送利得Ａ２は、上り信号光Ｓ２を上り信号光増幅器４０２の前後にてモニタ４１１，４１２にてモニタすることで生成されているが、実施形態２では、図３に示すように、上り信号光増幅器４０２をゲインクランプ型光増幅器とし、ゲインクランプ光の光増幅前後の光強度を用いて伝送利得Ａ２を生成する。
【００２９】
上り信号光Ｓ２の正確な利得の制御には、モニタによる光強度の観測を用いたフィードバック制御が欠かせないが、上り信号光Ｓ２がバースト信号であった場合、正確に上り信号の光強度を観測するのは困難である。ゲインクランプ型光増幅器においては、ゲインクランプ光を光増幅媒質に入力すると、増幅媒質の反転分布状態が安定し、バースト信号の入力信号光電力の変化に対しても利得が一定となり、モニタとして安価な光パワーメーターを用いた光強度の観測が容易になる。
【００３０】
さらに、ゲインクランプ型光増幅器では、下り信号光増幅器４０２に常にゲインクランプ光を入射することで、利得が平坦な帯域の拡大や光サージの抑制を行うことができる。ここで利得が平坦な帯域とは、入力する信号光強度にかかわらず光増幅器の利得が平坦な信号光強度の幅のことである。
【００３１】
上り信号光Ｓ２とは波長が異なるゲインクランプレーザーダイオード４１４より発振したゲインクランプ光Ｓ３は、モニタ４１５を経由した後、合分波器４１６で上り信号光Ｓ２と合波し、上り信号光増幅器４０２に入力する。上り信号光増幅器４０２にて増幅されたゲインクランプ光Ｓ３は、合分波器４１７において上り信号光Ｃ２から分波され、モニタ４１８に入力する。
【００３２】
モニタ４１５，４１８にて測定された増幅前後のゲインクランプ光強度より、利得計算回路４１３にてゲインクランプ光Ｓ３の伝送利得Ａ２が得られる。上り信号利得制御信号Ｃ２は本光アクセスシステムにおいて信号光を伝送するのに必要な利得を示していることから、利得制御回路４１０において、伝送利得Ａ２と上り信号利得制御信号Ｃ２を用いて、要求する利得を満たす利得制御信号Ｃ３，Ｃ４を生成する。利得制御信号Ｃ３は上り信号光増幅器４０２の励起光強度を制御し、利得制御信号Ｃ４はゲインクランプ光Ｓ３の光強度を制御する。
【００３３】
上り信号光増幅器４０２における利得は、信号光の強度と励起光強度とゲインクランプ光強度によって決定される。信号光強度が弱いとき利得は大きくなり、強いとき利得は小さくなる。ゲインクランプ光強度が強い場合に利得は小さくなるが、利得の平坦な帯域が広がる。すなわち光アクセスシステムの要求する最大利得および利得平坦帯域によって、利得制御回路４１０によって生成される利得制御信号Ｃ３，Ｃ４は変化する。
【００３４】
図３において、利得制御信号Ｃ３，Ｃ４により上り信号光増幅器４０２の利得を制御しているが、双方の利得制御信号を必ずしも用いる必要はなく、一方のみ、または両方の信号を用い利得の制御をおこなえばよい。
【００３５】
図３において、モニタ４１５はゲインクランプレーザーダイオード４１４の前方に位置しているが、ゲインクランプレーザーダイオードの後方に設置し、ゲインクランプレーザーダイオード４１４の後発光を観測してもよい。さらに、ゲインクランプ光Ｓ３は上り信号光増幅器４０２の前方入力型であるが、本発明はそれに限定されず、図４に示すように、後方入力型、つまりゲインクランプ光Ｓ３を合分波器４１７側から合分波器４１６側の方向に、上り信号光増幅器４０２に対して入力させるようにしてもよい。また、上り信号光増幅器４０２の両側から波長の異なるゲインクランプ光を入力させて観測する双方向入力型においても適用できる。
【００３６】
以上のように実施形態２では、上り信号光増幅器４０２の利得の観測にゲインクランプ光の利得を用いているので、上り信号光Ｓ２がバースト信号であった場合でも、モニタ４１５，４１８に安価な光パワーメーターを使用することができるだけでなく、光サージの抑圧が可能となる利点がある。
【００３７】
＜実施形態３＞
図５に、本発明の実施形態３に係る光増幅器の構成を示す。図３および図４の実施形態２では、ゲインクランプ光として専用のゲインクランプレーザーダイオード４１４を用いているが、図５に示す実施形態３では、増幅した上り信号の一部を可変光減衰器４１９に通し、再び上り信号光増幅器４０２に入力するループバック式ゲインクランプ型光増幅器とするものである。
【００３８】
上り信号光Ｓ２は合分波器４２０を経由して上り信号光増幅器４０２において光増幅され、合分波器４２１，４０３を経由して光加入者線終端装置１００側へ伝送される。
【００３９】
合分波器４２０において上り信号光Ｓ２の一部が分波され、モニタ４２２を経由し可変光減衰器４１９において光強度を調整された後、合分波器４２１において上り信号光増幅器４０２側にループバックされる。このループバックされた光はゲインクランプ光として働く。
【００４０】
合分波器４２０，４２１は、上り信号光Ｓ２の波長帯域を除いた上り信号光増幅器４０２から発生するＡＳＥ（Amplified Spontaneous Emission）光Ｓ４を合分波する。
【００４１】
上り信号光増幅器４０２から発生するＡＳＥ光Ｓ４は、前方、後方の双方に発振されるため、ループバックされるＡＳＥ光Ｓ４を制御しやすくするため、ＡＳＥ光Ｓ４の方向を一方向にするように、光アイソレータ４２３，４２４を設置する。
【００４２】
モニタ４２２にて測定されたＡＳＥ光Ｓ４の光強度よりＡＳＥ光強度Ｐ１が得られる。上り信号Ｓ２が上り信号光増幅器４０２に入力していない場合、ＡＳＥ光強度Ｐ１は一定の値になる。上り信号Ｓ２が上り信号光増幅器４０２に入力した場合、ＡＳＥ光強度Ｐ１は変動する。ＡＳＥ光強度Ｐ１と上り信号光増幅器４０２の利得の関係はあらかじめ測定され、利得制御回路４１０内に利得テーブルとして記録されている。上り信号利得制御信号Ｃ２は本光アクセスシステムにおいて信号光を伝送するのに必要な利得を示していることから、要求する利得を満たす利得制御信号Ｃ３，Ｃ５が生成される。利得制御信号Ｃ５によって可変光減衰器４１９が制御され、利得制御信号Ｃ３によって上り信号光増幅器４０２内の励起光強度が制御される。
【００４３】
上り信号光増幅器４０２における利得は、信号光の強度と励起光強度とゲインクランプ光強度によって決定される。信号光強度が弱いとき利得は大きくなり、強いとき利得は小さくなる。ゲインクランプ光強度が強い場合に利得は小さくなるが、利得が平坦な帯域は拡大する。すなわち光アクセスシステムの要求する最大利得および利得平坦帯域によって利得制御回路４１０によって生成される利得制御信号Ｃ３，Ｃ５は変化する。
【００４４】
図５において、利得制御信号Ｃ３，Ｃ５により上り信号光増幅器４０２の利得を制御しているが、双方の利得制御信号を必ずしも用いる必要はなく、必要に応じて一方のみ、または両方の信号を用い利得の制御をおこなえばよい。
【００４５】
また、図５において、ＡＳＥ光Ｓ４は光アイソレータ４２３，４２４によって上り信号光Ｓ２の進行方向と逆方向に上り信号光増幅器４０２に入力されているが、順方向に伝送するループバック式ゲインクランプ型光増幅器としてもよい。
【００４６】
以上のように実施形態３では、ゲインクランプ型光増幅器を形成するゲインクランプ光として、上り信号光増幅器４０２において発生するＡＳＥ光を用いているため、部品点数を削減でき、低コストでサービスを行うことができる利点がある。
【図面の簡単な説明】
【００４７】
【図１】本発明に係る光増幅器を用いた光アクセスシステムの構成図である。
【図２】本発明の実施形態１に係る光増幅器の構成図である。
【図３】本発明の実施形態２に係る光増幅器の構成図である。
【図４】本発明の実施形態２に係る光増幅器の変形例の構成図である。
【図５】本発明の実施形態３に係る光増幅器の構成図である。
【符号の説明】
【００４８】
１００：光加入者線終端装置
２００：スプリッタ
３００：光加入者線ネットワーク装置
４００：光増幅器
４０１：下り信号光増幅器
４０２：上り信号光増幅器
４０３，４０４：合分波器
４０５，４０６：モニタ
４０７：利得制御回路
４０８：利得計算回路
４０９：上り信号利得自動制御回路
４１０：利得制御回路
４１１，４１２：モニタ
４１３：利得計算回路
４１４：：ゲインクランプレーザダイオード
４１５：モニタ
４１６，４１７：合分波器
４１８：モニタ
４１９：可変光減衰器
４２０，４２１：合分波器
４２２：モニタ
４２３，４２４：光アイソレータ
Ｓ１：下り信号光
Ｓ２：上り信号光
Ｓ３：ゲインクランプ光
Ｓ４：ＡＳＥ光
Ｃ１：利得制御信号
Ｃ２：上り信号利得自動制御信号
Ｃ３，Ｃ４，Ｃ５：利得制御信号
Ａ１，Ａ２：伝送利得
Ｐ１：ＡＳＥ光強度
【図１】
2008113281.tif 000003
【図２】
2008113281.tif 000004
【図３】
2008113281.tif 000005
【図４】
2008113281.tif 000006
【図５】
2008113281.tif 000007